(57)【特許請求の範囲】
【請求項１】
現金処理部を備えた自動取引装置を搭載した移動取引車両であって、
前記現金処理部を接客部から分離する仕切部を設け、
前記仕切部を鋼材で形成して車体に固定し、
前記仕切部により形成された前記接客部から接触できない空間に、前記現金処理部を配置し、
前記仕切部の前記現金処理部の入出金口に対向する部位に、開口部を設けたことを特徴とする移動取引車両。
【請求項２】
請求項１に記載の移動取引車両において、
通帳処理部と、表示機能と入力機能を有する表示操作部と、を設け、
前記仕切部により前記通帳処理部と前記表示操作部を前記現金処理部から分離したことを特徴とする移動取引車両。
【請求項３】
請求項１に記載の移動取引車両において、
表示機能と入力機能を有する表示操作部を備えた制御端末を設け、
前記仕切部を、車両の床面に沿って設置し、
前記仕切部上に、前記制御端末を配置したことを特徴とする移動取引車両。
【請求項４】
請求項３に記載の移動取引車両において、
前記制御端末と、前記現金処理部とを無線により接続したことを特徴とする移動取引車両。
【請求項５】
請求項４に記載の移動取引車両において、
前記現金処理部の、前記仕切部の開口部を介した通信が可能な範囲にアンテナを設けたことを特徴とする移動取引車両。
【発明の詳細な説明】
【技術分野】
【０００１】
本発明は、防犯性を高めた移動取引車両に関する。
【背景技術】
【０００２】
従来の移動取引車両は、大型車両の有蓋荷台部分の後部に設けた現金支払室の内部に、相当の重量を有する現金自動預払機を設置し、車両の後面扉を開閉可能にして現金支払室への顧客の入退室を可能とし、顧客は現金支払室に入室して、設置された現金自動預払機を用いて現金の入出金取引等を行っている（例えば、特許文献１参照。）。
【先行技術文献】
【特許文献】
【０００３】
【特許文献１】特開平７−７３２５７号公報（段落００１１−００１３、第１図）
【発明の概要】
【発明が解決しようとする課題】
【０００４】
しかしながら、上述した従来の技術においては、後面扉を開放して現金自動預払機等の自動取引装置による取引を行っているときに、強盗等の悪意の第３者の襲撃を受けた場合、自動取引装置が破壊され、または装置ごと持ち去られて現金を強奪されてしまうという問題がある。
本発明は、上記の問題点を解決するためになされたもので、現金を取扱う自動取引装置の防犯性を高める手段を提供することを目的とする。
【課題を解決するための手段】
【０００５】
本発明は、上記課題を解決するために、現金処理部を備えた自動取引装置を搭載した移動取引車両であって、前記現金処理部を接客部から分離する仕切部を設け、前記仕切部を鋼材で形成して車体に固定し、前記仕切部により形成された前記接客部から接触できない空間に、前記現金処理部を配置し、前記仕切部の前記現金処理部の入出金口に対向する部位に、開口部を設けたことを特徴とする。
【発明の効果】
【０００６】
このようにした本発明は、仕切部により区切られた、接客部から直接接触できない空間に自動取引装置の現金処理部を配置するので、悪意の第３者が、現金処理部を強奪しようとする場合に、多大な時間と労力を要するため、現金処理部の強奪を容易に行うことができず、自動取引装置の現金処理部の防犯性を高めることができるという効果が得られる。
【図面の簡単な説明】
【０００７】
【図１】実施例の移動取引車両を示す説明図
【図２】実施例の自動取引装置を示すブロック図
【図３】実施例の無人ブースを示す説明図
【発明を実施するための形態】
【０００８】
以下に、図面を参照して本発明による移動取引車両および自動取引装置の実施例について説明する。
【実施例】
【０００９】
以下に、図１および図２を用いて本実施例の自動取引装置について、移動取引車両に搭載した場合を例に説明する。
本実施例の自動取引装置は、図１に示すように、銀行等の金融機関が運営する移動取引車両１等に搭載される。
移動取引車両１は、ワゴン車等の比較的小型の車両であって、車両後部には、自動取引装置を搭載する取引装置搭載部２が設けられている。
【００１０】
本実施例の取引装置設置空間としての取引装置搭載部２には、その搭載空間を上下に２分割する仕切部としての仕切板３が設置され、その上側の空間は、後面扉４を開放することで外部からの接触が可能になり、下側の空間は、車体１ａと仕切板３により区切られ、外部からの直接的な接触が不可能になっている。
【００１１】
仕切板３は、所定の厚さ（本実施例では、１０ｍｍ程度）の鋼板等の鋼材で形成された板状部材であって、車体１ａにボルト等の固定手段により車両の床面に沿って設置されており、その上側の空間には、車両の中央部にバッテリ６が、接客部７側に表示画面を向けてカバー８に取付けられた制御端末１０およびカバー８内に収容された通帳処理部２０が配置され、仕切板３により区切られた下側の空間内には紙幣および硬貨を取扱う現金処理部３０が配置される。
【００１２】
また、仕切板３の、現金処理部３０の紙幣および硬貨のそれぞれの入出金口３０ａに対向する部位には、紙幣および硬貨の受渡しを行うための開口部３ａが形成され、バッテリ６と通帳処理部２０との間に電源ケーブル６ｂを挿通させるために通し穴３ｂが形成されている。
更に、仕切板３には、保守作業等を行うときにオペレータや保守員等（以下、オペレータ等という。）が所持する鍵により解錠する図示しない錠が設けられている。
【００１３】
なお、以下の説明では、紙幣と硬貨の区別を必要としない場合は、現金という。
バッテリ６は、制御端末１０および通帳処理部２０に電源ケーブル６ａを介して電力を供給すると共に、電源ケーブル６ｂを介して現金処理部３０に電力を供給する。
接客部７は、移動取引車両１の後面扉４を開放して、顧客またはオペレータ（以下、区別を必要としない場合は、操作者という。）が制御端末１０や通帳処理部２０等の各機器を用いて取引操作を行う空間であって、操作者は、車両の後端部の外側から各機器を操作するようになっている。
【００１４】
カバー８は、鋼板等の鋼材で形成された箱状部材であって、その接客部７側の通帳処理部２０の通帳挿入口２０ａに対向する部位には、通帳の挿抜を行うための開口部８ａが形成されている。
本実施例の自動取引装置は、図２に示すように、制御端末１０と、通帳処理部２０と、仕切板３により分離された現金処理部３０と、を無線により接続して構成される。
制御端末１０は、本実施例の自動取引装置の各機器を制御して取引処理等を実行する機能を有しており、主制御部１１、無線通信部１２、記憶部１３、表示操作部１４等により構成される。
【００１５】
主制御部１１は、無線通信部１２によって通帳処理部２０および現金処理部３０と接続しており、通帳処理部２０および現金処理部３０に処理指示等を送信して取引処理等を実行する機能等を有している。
無線通信部１２は、通帳処理部２０および現金処理部３０と、アンテナ１２ａ（図１参照）を介して無線により相互通信可能に接続する機能等を有している。
記憶部１３は、主制御部１１が実行するプログラムやそれに用いる各種のデータおよび主制御部１１による処理結果等が格納される。
【００１６】
表示操作部１４は、接客部７側に設けられたＬＣＤ等の表示画面と、タッチパネル等の入力手段との組合せで構成されており、表示画面に取引選択画面や各種の入力画面、オペレータが行う業務の業務選択画面等を表示する機能、入力手段により操作者からの入力を受付ける機能等を有している。
通帳処理部２０は、カバー８の開口部８ａを介して通帳挿入口２０ａから操作者が挿入した通帳に、取引内容等を記帳して排出する機能等を有しており、通帳制御部２１、無線通信部２２、通帳搬送部２３、記帳部２４等により構成される。
【００１７】
通帳制御部２１は、無線通信部２２によって制御端末１０と接続しており、制御端末１０からの処理指示等を基に通帳処理部２０内の各部を制御して記帳処理等を実行する機能等を有すると共に、図示しないメモリ等を備えている。
無線通信部２２は、制御端末１０と、アンテナ２２ａを介して無線により相互通信可能に接続する機能等を有している。
【００１８】
通帳搬送部２３は、通帳搬送路２３ａ等を備えており、通帳挿入口２０ａから挿入された通帳を記帳部２４へ搬送すると共に、記帳済みの通帳を通帳挿入口２０ａへ搬送して排出する機能等を有している。
記帳部２４は、通帳制御部２１から送出された記帳データを通帳に印字する印字部と、通帳のページ替えが必要となった場合にページ捲りを行うページ捲り部等を備えている。
【００１９】
現金処理部３０は、紙幣を取扱う紙幣取扱部と、硬貨を取扱う硬貨取扱部を備えており、それぞれ入金取引時等に入出金口３０ａのシャッタ３０ｂを開放して操作者が仕切板３の開口部３ａを介して投入した現金（紙幣および／もしくは硬貨）を受入れ、これを鑑別および計数して収納し、出金取引時等に収納されている現金を繰出し、これを計数して入出金口３０ａに集積し、シャッタ３０ｂを開放して開口部３ａを介して操作者に引渡す機能等を有しており、現金制御部３１、無線通信部３２、入出金部３３、収納部３４等により構成される。
【００２０】
現金制御部３１は、無線通信部３２によって制御端末１０と接続しており、制御端末１０からの処理指示等を基に現金処理部３０内の各部を制御して入出金処理等を実行する機能等を有すると共に、図示しないメモリ等を備えている。
無線通信部３２は、制御端末１０と、入出金口３０ａの近傍で、仕切板３の開口部３ａを介した通信が可能な範囲に設けられたアンテナ３２ａを介して無線により相互通信可能に接続する機能等を有している。
【００２１】
入出金部３３は、現金の金種や搬送状態等に鑑別する図示しない鑑別部や搬送路３３ａ等を備えており、入出金口３０ａに投入された現金を搬送路３３ａにより鑑別部へ搬送し、金種等を鑑別して収納部３４へ搬送し、収納部３４から繰出された現金を鑑別部で計数して入出金口３０ａに集積する機能等を有している。
収納部３４は、鑑別部による鑑別結果に応じて、搬送された現金を金種別に収納する複数の収納庫等を備えている。
【００２２】
本実施例の移動取引車両１には、図１に示すように、車体１ａと仕切板３により区切られた仕切板３の下側の空間に、入出金口３０ａを後面扉４側、つまり接客部７側にした自動取引装置の現金処理部３０が搭載されている。
また、仕切板３上には、後面扉４側に通帳挿入口２０ａを向けた自動取引装置の通帳処理部２０が、通帳処理部２０の運転席側にバッテリ６が、通帳処理部２０を覆うカバー８の後面扉４側に、接客部７に表示画面を向けた自動取引装置の制御端末１０が搭載されている。
【００２３】
このような移動取引車両１が、営業場所に到着し、金融機関のオペレータ等が制御端末１０、通帳処理部２０および現金処理部３０へバッテリ６から電源を投入すると、自動取引装置の制御端末１０の記憶部１３に格納されている、主に顧客が行う取引処理や、オペレータが行う業務処理等を実行するための業務処理実行プログラムが自動的に起動され、オペレータ等が後面扉４を開放して本実施例の自動取引装置の運用を開始する。
【００２４】
すなわち、本実施例の移動取引車両１は、後面扉４を開放することで、そこが上記した接客部７となり、操作者（オペレータまたは顧客）は接客部７から、仕切板３の上側に配置された制御端末１０、通帳処理部２０、仕切板３の開口部３ａと対向する現金処理部３０の入出金口３０ａを用いて、所望の取引、例えば、通帳や帳票を用いた現金の入出金取引等の取引操作等を行うことができる。
【００２５】
なお、オペレータ等が、現金処理部３０に対する現金の補充処理、回収処理、ジャム等が発生したときの保守作業等を行う場合は、主に、金融機関の駐車施設内等の安全が確保された場所に移動して行うが、緊急を要する場合は、営業場所において、警備員等により安全を確保した状態で行う。
以下に、本実施例の移動取引車両１に搭載された自動取引装置による取引処理等の処理動作について説明する。
【００２６】
１）入金取引
入金取引を行う際は、オペレータは顧客から通帳と、入金金額が記入された入金伝票を受取り、入金伝票の記載事項を確認して、入金伝票を図示しない保管庫に保管し、顧客が入金取引操作を行う場合は顧客に通帳を返却し、オペレータが入金取引操作を行う場合は通帳と入金する現金を預かる。
操作者が制御端末１０の表示操作部１４の表示画面に表示されている取引選択画面からタッチパネル等の入力手段により入金取引を選択すると、この選択入力を受付けた制御端末１０の主制御部１１は、無線通信部１２により通帳処理部２０に通帳受入指示を無線で送信する。
【００２７】
通帳受入指示を、アンテナ２２ａを介して無線通信部２２で受信した通帳処理部２０の通帳制御部２１は、通帳挿入口２０ａを開放し、操作者がカバー８の開口部８ａを介して通帳を挿入すると、通帳制御部２１は、挿入された通帳を通帳搬送路２３ａによって記帳部２４に搬送して待機させる。
【００２８】
通帳受入指示の送信と並行して主制御部１１は、無線通信部１２により現金処理部３０に入金取込指示を無線で送信する。
入金取込指示を、アンテナ３２ａを介して無線通信部３２で受信した現金処理部３０の現金制御部３１は、入出金口３０ａのシャッタ３０ｂを開放し、操作者が仕切板３の開口部３ａを介して入金する現金を入出金口３０ａに投入すると、現金制御部３１は、投入された現金を入出金部３３の搬送路３３ａにより図示しない鑑別部へ搬送して金種別に計数し、計数した現金の計数結果を制御端末１０へ無線通信により送信する。
【００２９】
計数した現金の計数結果を受信した主制御部１１は、表示操作部１４の表示画面に受信した計数結果を表示し、操作者が、表示された計数結果を確認して確認の旨を入力すると、これを受付けた主制御部１１は、無線通信により現金処理部３０に入金収納指示を送信する。
入金収納指示を受信した現金制御部３１は、取込んだ現金を搬送路３３ａにより収納部３４に搬送して収納する。
入金収納指示の送信と並行して主制御部１１は、無線通信により通帳処理部２０に取引日付や入金金額、残高等の記帳データを含む記帳指示を送信する。
【００３０】
記帳データを含む記帳指示を受信した現金制御部３１は、記帳部２４によって待機している通帳に受信した記帳データを印字し、印字を終えた通帳を、通帳搬送路２３ａによって、開放された通帳挿入口２０ａに搬送し、操作者はカバー８の開口部８ａから記帳済みの通帳を引抜いて受取る。
このようにして、本実施例の移動取引車両１に搭載された自動取引装置による入金取引が行われる。
【００３１】
２）出金取引
出金取引を行う際は、オペレータは顧客から通帳と、出金金額が記入された出金伝票を受取り、通帳の残高が出金金額以上であることや出金伝票の記載事項を確認して、出金伝票を図示しない保管庫に保管し、顧客が出金取引操作を行う場合は顧客に通帳を返却し、オペレータが出金取引操作を行う場合は通帳を預かる。
【００３２】
操作者が制御端末１０の表示操作部１４の表示画面に表示されている取引選択画面から出金取引を選択すると、この選択入力を受付けた制御端末１０の主制御部１１は、無線通信により通帳処理部２０に通帳受入指示を送信する。
通帳受入指示を受信した通帳処理部２０の通帳制御部２１は、通帳挿入口２０ａを開放し、操作者がカバー８の開口部８ａを介して挿入した通帳を記帳部２４に搬送して待機させる。
【００３３】
通帳受入指示の送信と並行して主制御部１１は、表示操作部１４の表示画面に出金金額の入力画面を表示し、操作者が出金金額を入力すると、これを受付けた主制御部１１は、無線通信により現金処理部３０に出金金額の情報を含む出金処理指示を送信する。
出金処理指示を受信した現金処理部３０の現金制御部３１は、収納部３４から出金金額に相当する現金を繰出し、入出金部３３の搬送路３３ａにより鑑別部へ搬送して繰出した現金を計数した後に、搬送路３３ａにより入出金口３０ａに搬送して集積し、集積した現金の計数結果を制御端末１０へ無線通信により送信する。
【００３４】
集積した現金の計数結果を受信した主制御部１１は、表示操作部１４の表示画面に受信した計数結果を表示し、操作者が、表示された計数結果を確認して確認の旨を入力すると、これを受付けた主制御部１１は、無線通信により現金処理部３０に出金指示を送信する。
出金指示を受信した現金制御部３１は、入出金口３０ａのシャッタ３０ｂを開放し、操作者は仕切板３の開口部３ａから入出金口３０ａに集積された現金を受取る。
【００３５】
出金指示の送信と並行して主制御部１１は、通帳処理部２０に取引日付や出金金額、残高等の記帳データを含む記帳指示を送信する。
記帳データを含む記帳指示を受信した現金制御部３１は、記帳部２４によって待機している通帳に受信した記帳データを印字し、印字を終えた通帳を、通帳搬送路２３ａによって、開放された通帳挿入口２０ａに搬送し、操作者はカバー８の開口部８ａから記帳済みの通帳を引抜いて受取る。
このようにして、本実施例の移動取引車両１に搭載された自動取引装置による出金取引が行われる。
【００３６】
３）現金の補充処理
金融機関の駐車施設内等で、現金処理部３０に現金を補充する場合、オペレータ等は、制御端末１０の表示操作部１４の表示画面に業務選択画面を表示し、その業務選択画面から補充を選択する。
この選択入力を受付けた制御端末１０の主制御部１１は、無線通信により現金処理部３０に補充処理指示を送信する。
【００３７】
補充処理指示を受信した現金処理部３０の現金制御部３１は、入出金口３０ａのシャッタ３０ｂを開放し、オペレータが仕切板３の開口部３ａを介して補充する現金を入出金口３０ａに投入すると、現金制御部３１は、投入された現金を入出金部３３の搬送路３３ａにより鑑別部へ搬送して金種を鑑別し、その鑑別結果に応じて搬送路３３ａにより収納部３４へ搬送して金種別に収納する。
このようにして、本実施例の移動取引車両１に搭載された自動取引装置による補充処理が行われる。
【００３８】
４）現金の回収処理
金融機関の駐車施設内等で、現金処理部３０から現金を回収する場合、オペレータ等は、制御端末１０の表示操作部１４の表示画面に業務選択画面を表示し、その業務選択画面から回収を選択する。
この選択入力を受付けた制御端末１０の主制御部１１は、無線通信により現金処理部３０に回収処理指示を送信する。
【００３９】
回収処理指示を受信した現金処理部３０の現金制御部３１は、収納部３４から現金を繰出し、入出金部３３の搬送路３３ａにより入出金口３０ａに搬送して集積し、その後に入出金口３０ａのシャッタ３０ｂを開放し、オペレータ等は、仕切板３の開口部３ａから入出金口３０ａに集積された現金を回収する。
このようにして、本実施例の移動取引車両１に搭載された自動取引装置による回収処理が行われる。
【００４０】
５）保守作業
金融機関の駐車施設内等で、オペレータ等が、現金処理部３０で発生したジャム等による不具合の復旧作業を行う場合、オペレータ等は、制御端末１０、通帳処理部２０および現金処理部３０の電源を遮断する。
【００４１】
電源を遮断したオペレータ等は、仕切板３上に搭載されている、制御端末１０、通帳処理部２０、バッテリ６等を取外し、これらを車外に持出して仕切板３上を空にした後に、オペレータ等は、所持する鍵で図示しない錠を解錠し、固定手段による固定を解除して仕切板３を取外し、仕切板３を車外に持出した後に、現金処理部３０の搬送路３３ａ等を開放してジャム現金の除去等を行う。
そして、除去作業等が終了すると、オペレータ等は、現金処理部３０を閉鎖し、仕切板３を固定手段により車体１ａに固定して錠を施錠し、その後に制御端末１０、通帳処理部２０、バッテリ６等を仕切板３上に搭載して復旧作業を終える。
【００４２】
上記のような移動取引車両１に搭載した自動取引装置に対して、強盗等の悪意の第３者が移動取引車両１を襲撃し、現金処理部３０を強奪しようとする際は、本実施例の自動取引装置の現金処理部３０は、車体１ａと仕切板３により区切られた仕切板３の下側の空間内に設けられ、後面扉４を開放したのみの状態では現金処理部３０に直接接触することができないので、通帳処理部２０等の仕切板３の上に搭載された機器を除去した後に仕切板３を取外し、または破壊する必要があり、悪意の第３者は、仕切板３の上の各機器の除去や仕切板３の取外し等に、多大な労力と時間を要し、現金処理部３０の強奪を容易に行えないため、自動取引装置の現金処理部３０の防犯性を高めることができる。
【００４３】
以上説明したように、本実施例では、移動取引車両１に自動取引装置を搭載する場合に、仕切板３を車両の床面に沿って設置し、仕切板３と車体１ａにより区切られた、接客部７から直接接触できない仕切板３の下側の空間に自動取引装置の現金処理部３０を配置するので、悪意の第３者が、現金処理部３０を強奪しようとする場合に、多大な時間と労力を要するため、現金処理部３０の強奪を容易に行うことができず、自動取引装置の現金処理部３０の防犯性を高めることができる。
また、本実施例では、仕切板３の上に、自動取引装置の制御端末１０や通帳処理部２０等の機器を搭載するので、悪意の第３者が現金処理部３０を強奪しようとする場合の妨げになり、現金処理部３０の強奪を容易に行えないものとすることができる。
【００４４】
更に、本実施例では、仕切板３を車両の床面に沿って設置して現金処理部３０への外部からの接触を妨げるので、現金処理部３０を覆う堅牢なケース等の設置を不要にして、簡素な構成で、現金処理部３０の強奪に対する防犯性を高めることができると共に、車両へ搭載する搭載重量を低減して、最大積載量の小さい車両への自動取引装置の搭載を可能にすることができる。
更に、本実施例の自動取引装置は、各機器を無線により接続するので、仕切板３に通信ケーブル等を挿通させる通し穴を設ける必要がなくなり、現金処理部３０の強奪に対する防犯性を高めることができる。
【００４５】
更に、鋼板等からなる仕切板３で区切られた下側の空間に配置する現金処理部３０に設けるアンテナを、仕切板３の開口部３ａを介した通信が可能な範囲に設置するので、制御端末１０との無線通信が容易になり、取引処理を円滑に行うことができる。
なお、本実施例では、バッテリ６は仕切板３上に搭載するとして説明したが、バッテリ６は仕切板３の下側の空間に現金処理部３０と共に搭載してもよい。この場合には、下側に搭載したバッテリ６から通し穴３ｂを介して電源ケーブル６ａを通帳処理部２０や制御端末１０に接続するようにするとよい。
【００４６】
また、本実施例では、バッテリ６を一つ設けるとして説明したが、仕切板３上および仕切板３の下側の空間にそれぞれ設け、仕切板３上のバッテリ６から通帳処理部２０や制御端末１０に電源を供給し、下側の空間に設けたバッテリ６から現金処理部３０に電源を供給するようにしてもよい。このようにすれば、仕切板３に設ける通し穴３ｂを省略して、現金処理部３０の強奪に対する防犯性を高めることができる。
【００４７】
更に、本実施例では、通帳処理部２０をカバー８内に配置するとして説明したが、カバー８内にバッテリ６を搭載するようにしてもよく、カバー８を省略するようにしてもよい。
更に、本実施例では、制御端末１０は、カバー８に取付けるとして説明したが、カバー８を省略して、通帳処理部２０または仕切板３に直接取付けるようにしてもよい。
更に、本実施例では、制御端末１０と通帳処理部２０を無線により接続するとして説明したが、制御端末１０と通帳処理部２０とを有線で接続するようにしてもよい。
【００４８】
上記実施例においては、移動取引車両に搭載した本実施例の自動取引装置による取引は、通帳のみを用いる取引として説明したが、カード処理部を仕切板３上に搭載して、キャシュカードやクレジットカード等の取引カードによる取引を可能にしてもよい。
この場合は、制御端末１０の無線通信部１２を、ホストコンピュータとの無線による交信が可能なように構成し、取引カードおよび／もしくは通帳を用いた取引において、ホストコンピュータとの交信後に取引を成立させるようにするとよい。
【００４９】
また、上記実施例においては、自動取引装置の現金処理部３０は、紙幣および硬貨を個別に取扱うとして説明したが、紙幣および硬貨を一つの入出金口を用いて取扱う現金処理部であってもよく、紙幣のみを取扱う紙幣処理部であってもよい。
更に、上記実施例においては、自動取引装置を移動取引車両１に搭載した場合を例に説明したが、設置建屋としての無人ブース４０等に本実施例の自動取引装置を設置するようにしても、上記と同様の効果を得ることができる。
【００５０】
すなわち、図３に示すように、無人ブース４０の、天井４０ａと床４０ｂと４つの側壁４０ｃからなる外壁で囲まれた取引装置搭載空間２に、接客フロア等の接客部７と、現金処理部３０を設置する空間とを分離する仕切部としての隔壁４１を設け、接客部７側に制御端末１０や通帳処理部２０等を、隔壁４１と無人ブースの外壁とで区切られた空間内に現金処理部３０を配置し、隔壁４１の、現金処理部３０の入出金口３０ａに対向する部位に開口部４１ａを設けるようにする。
このようにすれば、無人ブース等に設置した自動取引装置の現金処理部３０を強奪しようとする悪意の第３者が、多大な時間と労力を要するため、無人ブース４０等に設置した自動取引装置の現金処理部３０の防犯性を高めることができる。
【符号の説明】
【００５１】
１    移動取引車両
２    取引装置搭載空間
３    仕切板
３ａ、８ａ、４１ａ  開口部
３ｂ  通し穴
４    後面扉
６    バッテリ
７    接客部
８    カバー
１０  制御端末
１１  主制御部
１２、２２、３２  無線通信部
１３  記憶部
１４  表示操作部
２０  通帳処理部
２１  通帳制御部
２３  通帳搬送部
２４  記帳部
３０  現金処理部
３１  現金制御部
３３  入出金部
３４  収納部
４０  無人ブース
４０ａ  天井
４０ｂ  床
４０ｃ  側壁
４１  隔壁
【図１】
0006511983.tif 000002
【図２】
0006511983.tif 000003
【図３】
0006511983.tif 000004